(57)【要約】      （修正有）【課題】コスト面と使用面の両方において理想的な移動支援補助器具を提供する。【解決手段】グリップ部パイプ１の両端がそれぞれ二個の縦パイプ２中に組み立てられ、二個の縦パイプ２の間には中間フレームパイプ３が組み立てられ、別に二個の縦パイプ２左、右両側辺には、それぞれ外開き脚部４及びカーブ型脚部５が組み立てられて、Ｔ型の外観を構成する。このうち、グリップ部パイプ１は、二個の縦パイプ２中から段階式に引き出され、固定される位置が調整されて高度の変化を構成して使用される。このように、使用者は移動支援補助器具を使用することで、両手でこれを握り、両足を地面に着地させ、身体をゆっくりと移動させて、移動支援補助器具自身がしっかりと地面に直立して支えられることにより、使用者が立ち上がったり、歩行したりするのを支援する。【選択図】図１
0003197201.tif 000002
【実用新案登録請求の範囲】
【請求項１】
グリップ部パイプ、二個の縦パイプ、中間フレームパイプ、外開き脚部及びカーブ型脚部から構成されてＴ型の外観を呈し、このうち、グリップ部パイプは
0003197201.tif 000005
型で、両端のパイプには、それぞれ数個の孔が開けられ、両端がそれぞれ二個の縦パイプ中に組み立てられ、縦パイプの上方側辺には、いずれも貫通孔が開けられ、位置固定ストッパーが設置され、貫通孔上方の内側表面には、突起ねじ穴が設置されて、中間フレームパイプが組み立てられ、下方には数個の貫通孔が開けられ、二個の縦パイプに位置する左、右両側の外開き脚部及びカーブ型脚部と共にねじでしっかりと固定され、中間フレームパイプ両辺には、それぞれ孔洞が設置され、それぞれ縦パイプの突起ねじ穴が貫通し、孔洞下方外側辺には、それぞれ丸孔が設置されて位置固定ストッパーが挿入され、二個の縦パイプの突起ねじ穴によって、中間フレームパイプに挿入された対応する位置の孔洞に、さらに、ねじによって孔洞を通過して突起ねじ穴中に螺合による固定がなされ、二個の縦パイプと中間フレームパイプが組み合わさって結合され、さらに、外開き脚部及びカーブ型脚部がそれぞれ二個の縦パイプの左、右両側辺に組み立てられ、グリップ部パイプ両端が、それぞれ二個の縦パイプ中に挿入され、さらに、位置固定ストッパーによって縦パイプの貫通孔、グリップ部パイプのうちの一個の孔に挿入され、中間フレームパイプの丸孔中に位置固定された状態が形成されることで、グリップ部パイプが二個の縦パイプ中から段階式に引き出され、固定される位置が調整され、高度の変化を形成することを特徴とする移動支援補助器具。
【請求項２】
二個の縦パイプの貫通孔上方の内側表面に設置された突起ねじ穴と中間フレームパイプが組み合わさって結合する時、ねじは、中間フレームパイプの孔洞のみに挿入され、さらに縦パイプ内側表面上の突起ねじ穴に螺合されて固定され、縦パイプ及びねじグリップ部パイプは貫通しないため、二個の縦パイプと中間フレームパイプの組み立て結合は、グリップ部パイプの伸縮操作を妨げないことを特徴とする請求項１に記載の移動支援補助器具。
【考案の詳細な説明】
【技術分野】
【０００１】
本考案は支援補助器具に関し、特に、使用者が移動支援補助器具を両手で握り、両足を地面に着けて、身体をゆっくり移動させることで、移動支援補助器具自身がしっかりと安定して地面に直立することで支えられることにより、使用者が立ち上がったり、歩行したりする際の補助器具として使用することが可能な支援補助器具に関する。
【背景技術】
【０００２】
一般に、年配者やリハビリ中の患者は、身体の移動が敏速には行えず、他人の介助を必要とする。単独で行動する場合は、何らかの補助器具を使用して支えることで転倒等の事故の発生を防止する必要がある。このため、本考案の出願人は、特許文献１の技術を開発して、自力で使用者が立ち上がったり、歩行したりするのを支援する技術を提供した。しかしながら、これらの補助器具は、広く一般的な使用を目的としているため、いわゆる既製品であり、サイズも一定である。このため、一般向きとはいうものの、使い勝手が悪いと感じる使用者も少なくない。
【０００３】
しかしながら、カスタマイズされた注文仕様の器具は、コストが高くなり、一般の使用者にとっては負担が重くなる。このため、コスト面と使用面の両方において理想的な技術を提供することが課題である。
【先行技術文献】
【特許文献】
【０００４】
【特許文献１】台湾特許出願番号第１０１２０９３５７号
【考案の概要】
【考案が解決しようとする課題】
【０００５】
したがって、本考案は、従来の技術の欠点を改善した、コスト面と使用面の両方において理想的な移動支援補助器具を提供することを課題とする。
【課題を解決するための手段】
【０００６】
上記課題を解決するために、本考案は、従来の技術の欠点を改善した、コスト面と使用面の両方において理想的な移動支援補助器具を提供することを目的とする。
【０００７】
上記目的を達成するため、本考案の移動支援補助器具は、使用者が両手で握り、両足を地面に着けて、身体をゆっくり移動させることで、移動支援補助器具自体がしっかりと安定して地面に直立することで支えられることにより、使用者が立ち上がったり、歩行したりする際の補助器具として使用できることを特徴とする  。
【０００８】
上記目的を達成するため、本考案の移動支援補助器具は、このうち、グリップ部パイプの両端が、それぞれ二個の縦パイプ中に組み立てられ、別に二個の縦パイプ左、右両側辺が外開き脚部及びカーブ型脚部と共にねじでしっかりと固定されて、Ｔ型の外観を呈することを特徴とする。
【０００９】
上記目的を達成するため、本考案の移動支援補助器具は、このうち、グリップ部パイプは
0003197201.tif 000003
型で、両端のパイプには、それぞれ数個の孔が開けられて、両端がそれぞれ二個の縦パイプ中に組み立てられることを特徴とする。
【００１０】
上記目的を達成するため、本考案の移動支援補助器具は、このうち、グリップ部パイプ両端が、それぞれ二個の縦パイプ中に挿入された後、さらに、位置固定ストッパーが縦パイプの貫通孔、グリップ部パイプの一孔に挿入されることで、中間フレームパイプの丸孔中に固定された状態を形成する。位置固定ストッパーが取り外されると、グリップ部パイプが二個の縦パイプ中から段階式に引き出され、再び新しい位置に固定されて、固定位置の高度が調整される。
【００１１】
上記目的を達成するため、本考案の移動支援補助器具は、このうち、縦パイプ上方側辺には、貫通孔が開けられて、貫通孔上方の内側表面には突起ねじ穴が設置されて、二個の縦パイプが中間フレームパイプと組み合わされて結合する時、二個の縦パイプが有する突起ねじ穴が中間フレームパイプの対応する位置の孔洞中に挿入され、さらに、ねじが前記孔洞を経て突起ねじ穴中に達して螺合することで、二個の縦パイプと中間フレームパイプが組み合わさって一体となる。
【００１２】
上記目的を達成するため、本考案の移動支援補助器具は、このうち、縦パイプの貫通孔上方の内側表面上に設置された突起ねじ穴によって中間フレームパイプと組み合わさって結合する時、ねじは中間フレームパイプの孔洞に挿入されて、縦パイプの突起ねじ穴と螺合されて位置が固定されるのみで、縦パイプとグリップ部パイプを貫通することがないため、二個の縦パイプと中間フレームパイプが組み合わさって結合することにより、グリップ部パイプが引き出される操作を妨げることがない。
【００１３】
上記目的を達成するため、本考案の移動支援補助器具は、このうち、二個の縦パイプ下方には数個の貫通孔を有して、二個の縦パイプ左、右両側辺に位置する外開き脚部及びカーブ型脚部が螺合固定される。
【００１４】
上記目的を達成するため、本考案の移動支援補助器具は、このうち、中間フレームパイプ両辺にはそれぞれ孔洞を有して、それぞれ縦パイプの突起ねじ穴が貫通する。孔洞下方外側辺には、それぞれ丸孔が設置されて、位置固定ストッパーが縦パイプの貫通孔、グリップ部パイプの一孔に挿入されて、丸孔中に位置固定された状態を形成する。
【考案の効果】
【００１５】
本考案は、従来の技術の欠点を改善した、コスト面と使用面の両方において理想的な移動支援補助器具を提供する。
【図面の簡単な説明】
【００１６】
【図１】本考案を示した図である。      （その１）
【図２】本考案を示した図である。      （その２）
【図３】本考案を示した図である。      （その３）
【図４】本考案の実施例を示した図である。（その１）
【図５】本考案の実施例を示した図である。（その２）
【図６】本考案の実施例を示した図である。（その３）
【図７】本考案のグリップ部パイプの高度を変更させた状態を示した図である。
【図８】本考案の実施例を示した図である。（その４）
【図９】本考案の実施例を示した図である。（その５）
【考案を実施するための形態】
【００１７】
まず、図１を参照しながら説明する。本考案の移動支援補助器具は、グリップ部パイプ１、二個の縦パイプ２、中間フレームパイプ３、外開き脚部４及びカーブ型脚部５から構成されてＴ型の外観を呈する。このうち、グリップ部パイプ１は
0003197201.tif 000004
型で、両端のパイプには、それぞれ数個の孔１１が開けられて、両端がそれぞれ二個の縦パイプ２中に組み立てられる。縦パイプ２の上方側辺には、いずれも貫通孔２１が開けられて、位置固定ストッパー２Ａが設置される。貫通孔２１上方の内側表面には、突起ねじ穴２２が設置されて、中間フレームパイプ３が組み立てられる。縦パイプ２下方には、数個の貫通孔２１が開けられて、二個の縦パイプ２に位置する左、右両側の外開き脚部４及びカーブ型脚部５と共にねじでしっかりと固定される。中間フレームパイプ３両辺には、それぞれ孔洞３１が設置されて、それぞれ縦パイプ２の突起ねじ穴２２が貫通する。孔洞３１下方外側辺には、それぞれ丸孔３２が設置されて、位置固定ストッパー２Ａが挿入される。
【００１８】
二個の縦パイプ２の突起ねじ穴２２によって、中間フレームパイプ３に挿入された対応する位置の孔洞３１に、さらに、ねじ３Ａによって孔洞３１を通過して突起ねじ穴２２中に螺合による固定がなされて、二個の縦パイプ２と中間フレームパイプ３が組み合わさって結合される。さらに、外開き脚部４及びカーブ型脚部５がそれぞれ二個の縦パイプ２の左、右両側辺に組み立てられ、最後に、グリップ部パイプ１両端が、それぞれ二個の縦パイプ２中に挿入され、さらに、位置固定ストッパー２Ａによって縦パイプ２の貫通孔２１、グリップ部パイプ１のうちの一個の孔１１に挿入されて、中間フレームパイプ３の丸孔３２中に位置固定される（図２、図３に示したとおり）。
【００１９】
前記ねじ３Ａは、中間フレームパイプ３の孔洞３１のみに挿入されて、さらに縦パイプ２内側表面上の突起ねじ穴２２に螺合されて固定され、縦パイプ２及びグリップ部パイプ３は貫通しないため、二個の縦パイプ２と中間フレームパイプ３の組み立て結合は、グリップ部パイプ１の伸縮操作を妨げない（図３に示したとおり）。
【００２０】
このように、使用者Ａは、移動支援補助器具を使用することで、両手Ａ１でこれを握り、両足Ａ２を地面に着地させ、身体をゆっくりと移動（図４、図５、図６に示したとおり）させて、移動支援補助器具自身がしっかりと地面に直立して支えられることにより、使用者が立ち上がったり、歩行したりするのを支援する。  
【００２１】
前記移動支援補助器具の高度が足りない場合は、位置固定ストッパー２Ａを取り外し、グリップ部パイプ１両端の孔１１が位置固定ストッパー２Ａの挿入に妨げられない状況下で、グリップ部パイプ１を二個の縦パイプ２中から、段階式に伸縮操作を行って、グリップ部パイプ１の適度な高度（伸縮の高度は引き出した距離によって決まり、制限はない）を選択した後、再び位置固定ストッパー２Ａを設置して位置を固定させる（図７に示したとおり）。このようにして、必要な高度の位置に調整して、使用者Ａが同様にその両手Ａ１で握り、その両足Ａ２を確実に着地させて、身体をゆっくり移動させて、立ち上がったり、歩行したりする動作を行う（図８、図９に示したとおり）。
【００２２】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００２３】
１          グリップ部パイプ
１１        孔
２          縦パイプ
２１        貫通孔
２２        突起ねじ穴
２Ａ        位置固定ストッパー
３          中間フレームパイプ
３１        孔洞
３２        丸孔
３Ａ        ねじ
４          外開き脚部
５          カーブ型脚部
Ａ          使用者
Ａ１        両手
Ａ２        両足
【図１】
0003197201.tif 000006
【図２】
0003197201.tif 000007
【図３】
0003197201.tif 000008
【図４】
0003197201.tif 000009
【図５】
0003197201.tif 000010
【図６】
0003197201.tif 000011
【図７】
0003197201.tif 000012
【図８】
0003197201.tif 000013
【図９】
0003197201.tif 000014
【手続補正書】
【提出日】平成27年2月20日(2015.2.20)
【手続補正１】
【補正対象書類名】実用新案登録請求の範囲
【補正対象項目名】全文
【補正方法】変更
【補正の内容】
【実用新案登録請求の範囲】
【請求項１】
グリップ部パイプ、二個の縦パイプ、中間フレームパイプ、外開き脚部及びカーブ型脚部から構成されてＴ型の外観を呈し、このうち、グリップ部パイプはコ字型で、両端のパイプには、それぞれ数個の孔が開けられ、両端がそれぞれ二個の縦パイプ中に組み立てられ、縦パイプの上方側辺には、いずれも貫通孔が開けられ、位置固定ストッパーが設置され、貫通孔上方の内側表面には、突起ねじ穴が設置されて、中間フレームパイプが組み立てられ、下方には数個の貫通孔が開けられ、二個の縦パイプに位置する左、右両側の外開き脚部及びカーブ型脚部と共にねじでしっかりと固定され、中間フレームパイプ両辺には、それぞれ孔洞が設置され、それぞれ縦パイプの突起ねじ穴が貫通し、孔洞下方外側辺には、それぞれ丸孔が設置されて位置固定ストッパーが挿入され、二個の縦パイプの突起ねじ穴によって、中間フレームパイプに挿入された対応する位置の孔洞に、さらに、ねじによって孔洞を通過して突起ねじ穴中に螺合による固定がなされ、二個の縦パイプと中間フレームパイプが組み合わさって結合され、さらに、外開き脚部及びカーブ型脚部がそれぞれ二個の縦パイプの左、右両側辺に組み立てられ、グリップ部パイプ両端が、それぞれ二個の縦パイプ中に挿入され、さらに、位置固定ストッパーによって縦パイプの貫通孔、グリップ部パイプのうちの一個の孔に挿入され、中間フレームパイプの丸孔中に位置固定された状態が形成されることで、グリップ部パイプが二個の縦パイプ中から段階式に引き出され、固定される位置が調整され、高度の変化を形成することを特徴とする移動支援補助器具。
【請求項２】
二個の縦パイプの貫通孔上方の内側表面に設置された突起ねじ穴と中間フレームパイプが組み合わさって結合する時、ねじは、中間フレームパイプの孔洞のみに挿入され、さらに縦パイプ内側表面上の突起ねじ穴に螺合されて固定され、縦パイプ及びグリップ部パイプは貫通しないため、二個の縦パイプと中間フレームパイプの組み立て結合は、グリップ部パイプの伸縮操作を妨げないことを特徴とする請求項１に記載の移動支援補助器具。
【手続補正２】
【補正対象書類名】明細書
【補正対象項目名】０００９
【補正方法】変更
【補正の内容】
【０００９】
上記目的を達成するため、本考案の移動支援補助器具は、このうち、グリップ部パイプはコ字型で、両端のパイプには、それぞれ数個の孔が開けられて、両端がそれぞれ二個の縦パイプ中に組み立てられることを特徴とする。
【手続補正３】
【補正対象書類名】明細書
【補正対象項目名】００１７
【補正方法】変更
【補正の内容】
【００１７】
まず、図１を参照しながら説明する。本考案の移動支援補助器具は、グリップ部パイプ１、二個の縦パイプ２、中間フレームパイプ３、外開き脚部４及びカーブ型脚部５から構成されてＴ型の外観を呈する。このうち、グリップ部パイプ１はコ字型で、両端のパイプには、それぞれ数個の孔１１が開けられて、両端がそれぞれ二個の縦パイプ２中に組み立てられる。縦パイプ２の上方側辺には、いずれも貫通孔２１が開けられて、位置固定ストッパー２Ａが設置される。貫通孔２１上方の内側表面には、突起ねじ穴２２が設置されて、中間フレームパイプ３が組み立てられる。縦パイプ２下方には、数個の貫通孔２１が開けられて、二個の縦パイプ２に位置する左、右両側の外開き脚部４及びカーブ型脚部５と共にねじでしっかりと固定される。中間フレームパイプ３両辺には、それぞれ孔洞３１が設置されて、それぞれ縦パイプ２の突起ねじ穴２２が貫通する。孔洞３１下方外側辺には、それぞれ丸孔３２が設置されて、位置固定ストッパー２Ａが挿入される。